(57)【要約】【課題】セキュリティを確保しながら利便性の高い表示装置を提供する。【解決手段】表示装置１３は、モード移行制御部４３と、記憶制御部４４と、表示制御部４５とを備える。モード移行制御部４３は、第一のモード中に第一の条件を満たせば表示画面２１を非表示にして第一のモードから第二のモードへ移行し、第二のモード中に第二の条件を満たせば表示画面２１を表示して第二のモードから第一のモードへ移行するよう制御する。記憶制御部４４は、モード移行制御部４３により第一のモードから第二のモードに移行する際に、第一の設定および第二の設定のデータを記憶部１７に記憶するよう制御する。表示制御部４５は、モード移行制御部４３により第二のモードから第一のモードへ移行する際に、表示画面２１に表示される情報として第一の設定については記憶部１７に記憶された第一の設定の内容を表示し、第二の設定については初期設定の内容を表示するよう制御する。【選択図】図４
2018138332.tif 000002
【特許請求の範囲】
【請求項１】
所定の電力を消費する第一のモード、および前記所定の電力よりも少ない電力を消費する第二のモードを有し、情報を表示する表示装置であって、
情報の入力を受け付ける入力受け付け部と、
前記入力受け付け部により受け付けられた前記情報を第一の設定または第二の設定に選別する選別部と、
前記入力受け付け部により受け付けられた前記情報を表示可能な表示画面と、
データを記憶する記憶部と、
前記第一のモード中に第一の条件を満たせば前記表示画面を非表示にして前記第一のモードから前記第二のモードへ移行し、前記第二のモード中に第二の条件を満たせば前記表示画面を表示して前記第二のモードから前記第一のモードへ移行するよう制御するモード移行制御部と、
前記モード移行制御部により前記第一のモードから前記第二のモードに移行する際に、前記第一の設定および前記第二の設定のデータを前記記憶部に記憶するよう制御する記憶制御部と、
前記モード移行制御部により前記第二のモードから前記第一のモードへ移行する際に、前記表示画面に表示される情報として前記第一の設定については前記記憶部に記憶された前記第一の設定の内容を表示し、前記第二の設定については初期設定の内容を表示するよう制御する表示制御部とを備える、表示装置。
【請求項２】
前記選別部は、ユーザーの要求に応じて前記第一の設定または前記第二の設定に選別する、請求項１に記載の表示装置。
【請求項３】
前記選別部は、前記入力受け付け部により受け付けられた前記情報に所定の文字列が含まれていれば、前記情報を前記第二の設定に選別する、請求項１または請求項２に記載の表示装置。
【請求項４】
前記第二の設定は、ユーザーを認証するパスワードの設定、およびユーザーの個人情報の設定のうちの少なくともいずれか一つを含む、請求項１〜請求項３のいずれか１項に記載の表示装置。
【請求項５】
時間を計測する時間計測部をさらに備え、
前記表示制御部は、前記モード移行制御部により前記第一のモードから前記第二のモードへ移行してから前記時間計測部により計測された時間が所定の時間を越えれば、前記モード移行制御部により前記第二のモードから前記第一のモードへ移行する際に、前記第一の設定および前記第二の設定について初期設定の内容を表示するよう制御する、請求項１〜請求項４のいずれか１項に記載の表示装置。
【請求項６】
前記表示装置の近辺を撮影する撮影部をさらに備え、
前記表示制御部は、前記モード移行制御部により前記第二のモードから前記第一のモードへ移行する際に、前記撮影部により撮影された前記表示装置の近辺に位置する人物が前記第一のモード時へ移行する前後において同一人物であるか否かを判断して、同一人物であると判断されれば、前記モード移行制御部により前記第二のモードから前記第一のモードへ移行する際に、前記第一の設定および前記第二の設定について前記記憶部に記憶された前記第一の設定の内容および前記第二の設定の内容をそれぞれ表示するよう制御する、請求項１〜請求項５のいずれか１項に記載の表示装置。
【請求項７】
所定の電力を消費する第一のモード、および前記所定の電力よりも少ない電力を消費する第二のモードを有し、情報を表示する表示装置、および前記第一のモード時に前記表示装置によって入力を受け付けられた画像形成条件に応じて画像を形成する画像形成部を含む画像形成装置であって、
前記表示装置は、
情報の入力を受け付ける入力受け付け部と、
前記入力受け付け部により受け付けられた前記情報を第一の設定または第二の設定に選別する選別部と、
前記入力受け付け部により受け付けられた前記情報を表示可能な表示画面と、
データを記憶する記憶部と、
前記第一のモード中に第一の条件を満たせば前記表示画面を非表示にして前記第一のモードから前記第二のモードへ移行し、前記第二のモード中に第二の条件を満たせば前記表示画面を表示して前記第二のモードから前記第一のモードへ移行するよう制御するモード移行制御部と、
前記モード移行制御部により前記第一のモードから前記第二のモードに移行する際に、前記第一の設定および前記第二の設定のデータを前記記憶部に記憶するよう制御する記憶制御部と、
前記モード移行制御部により前記第二のモードから前記第一のモードへ移行する際に、前記表示画面に表示される情報として前記第一の設定については前記記憶部に記憶された前記第一の設定の内容を表示し、前記第二の設定については初期設定の内容を表示するよう制御する表示制御部とを備える、画像形成装置。
【発明の詳細な説明】
【技術分野】
【０００１】
この発明は、表示装置、および画像形成装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給してトナー像とした後、用紙にトナー像を転写して定着装置によって定着させ、装置外に排出する。
【０００３】
昨今、画像形成装置には、待機状態、すなわち、画像形成の要求がなされていない状態において、待機時の消費電力を節約する観点から、定着装置への電力の供給を抑制したり、操作部のタッチパネルを消灯したりする省電力モードが備えられているものがある。省電力モードは、いわゆるスリープモードとも呼ばれるものであり、画像形成の要求時において、即時に画像を形成することはできないものの、待機時における消費電力の低減を効率的に図ることができるモードである。画像形成装置は、画像形成時には、省電力モードから即時に画像形成を行うことができるスタンバイモードへ移行して、画像を形成する。この移行については、外部から入力された復帰信号、具体的には、操作部のタッチパネルへの接触を検知した信号や、ネットワークを介して画像形成装置に接続されたコンピューターからの印刷要求の信号を受け付けることによって行われる。
【０００４】
待機時に省電力モードへ移行する画像形成装置に関する技術が、特開平８−６３０５１号公報（特許文献１）、および特開２００７−２５６５４３号公報（特許文献２）に開示されている。
【０００５】
特許文献１によると、画像形成動作終了後もしくはキー操作終了後一定時間が経過すると装置各部への電力供給を低減もしくは遮断して電力消費の低減を図る省電力モードを有する画像形成装置が開示されている。特許文献１に開示の画像形成装置は、省電力モードに入る直前に設定されていた画像形成条件情報を記憶する記憶手段と、省電力モード解除時に前記記憶手段から読み出した画像形成条件情報によって装置の設定を行う設定制御手段とを設けたことを特徴としている。
【０００６】
特許文献２には、第一設定時間の経過により装置の電力制御状態を通常モードから消費電力を低減させる省電力モードに切り替える電力制御手段と、第二設定時間の経過により操作設定された操作部の表示メニューを初期メニューに復帰させるオートクリア手段と、前記第一設定時間または前記第二設定時間の何れかを初期設定値から変更設定可能な時間変更設定手段とを備えて構成される画像形成装置が開示されている。特許文献２に開示に開示の画像形成装置によると、少なくとも前記第一設定時間が前記第二設定時間よりも短時間となる時間関係に設定されたとき、前記第一設定時間の経過後であっても前記第二設定時間の経過までは前記表示メニューに対応するデータが保持されることとしている。
【先行技術文献】
【特許文献】
【０００７】
【特許文献１】特開平８−６３０５１号公報
【特許文献２】特開２００７−２５６５４３号公報
【発明の概要】
【発明が解決しようとする課題】
【０００８】
特許文献１および特許文献２によると、省電力モードの復帰時に、省電力モードへ移行する前の設定状態に戻ることとしている。しかし、このような状況であれば、セキュリティが高い情報をあるユーザーが設定している際、他のユーザーが復帰させれば、他のユーザーがセキュリティの高い情報を見てしまうこととなる。このような状況は、好ましくない。一方、ユーザーの利便性も求められる。
【０００９】
この発明の目的は、セキュリティを確保しながら利便性の高い表示装置を提供することである。
【００１０】
この発明の他の目的は、セキュリティを確保しながら利便性の高い画像形成装置を提供することである。
【課題を解決するための手段】
【００１１】
この発明の一の局面においては、表示装置は、所定の電力を消費する第一のモード、および所定の電力よりも少ない電力を消費する第二のモードを有し、情報を表示する。表示装置は、入力受け付け部と、選別部と、表示画面と、記憶部と、モード移行制御部と、記憶制御部と、表示制御部とを備える。入力受け付け部は、情報の入力を受け付ける。選別部は、入力受け付け部により受け付けられた情報を第一の設定または第二の設定に選別する。表示画面は。入力受け付け部により受け付けられた情報を表示可能である。記憶部は、データを記憶する。モード移行制御部は、第一のモード中に第一の条件を満たせば表示画面を非表示にして第一のモードから第二のモードへ移行し、第二のモード中に第二の条件を満たせば表示画面を表示して第二のモードから第一のモードへ移行するよう制御する。記憶制御部は、モード移行制御部により第一のモードから第二のモードに移行する際に、第一の設定および第二の設定のデータを記憶部に記憶するよう制御する。表示制御部は、モード移行制御部により第二のモードから第一のモードへ移行する際に、表示画面に表示される情報として第一の設定については記憶部に記憶された第一の設定の内容を表示し、第二の設定については初期設定の内容を表示するよう制御する。
【００１２】
この発明の他の局面においては、画像形成装置は、所定の電力を消費する第一のモード、および所定の電力よりも少ない電力を消費する第二のモードを有し、情報を表示する表示装置、および第一のモード時に表示装置によって入力を受け付けられた画像形成条件に応じて画像を形成する画像形成部を含む。表示装置は、入力受け付け部と、選別部と、表示画面と、記憶部と、モード移行制御部と、記憶制御部と、表示制御部とを備える。入力受け付け部は、情報の入力を受け付ける。選別部は、入力受け付け部により受け付けられた情報を第一の設定または第二の設定に選別する。表示画面は。入力受け付け部により受け付けられた情報を表示可能である。記憶部は、データを記憶する。モード移行制御部は、第一のモード中に第一の条件を満たせば表示画面を非表示にして第一のモードから第二のモードへ移行し、第二のモード中に第二の条件を満たせば表示画面を表示して第二のモードから第一のモードへ移行するよう制御する。記憶制御部は、モード移行制御部により第一のモードから第二のモードに移行する際に、第一の設定および第二の設定のデータを記憶部に記憶するよう制御する。表示制御部は、モード移行制御部により第二のモードから第一のモードへ移行する際に、表示画面に表示される情報として第一の設定については記憶部に記憶された第一の設定の内容を表示し、第二の設定については初期設定の内容を表示するよう制御する。
【発明の効果】
【００１３】
このような表示装置によると、セキュリティを確保しながら利便性を高くすることができる。
【００１４】
また、このような画像形成装置によると、セキュリティを確保しながら利便性を高くすることができる。
【図面の簡単な説明】
【００１５】
【図１】この発明の一実施形態に係る表示装置を含む画像形成装置を複合機に適用した場合の複合機を示す図である。
【図２】図１に示す複合機の構成を示すブロック図である。
【図３】表示装置の構成を示す図である。
【図４】制御部の構成を示すブロック図である。
【図５】ファクシミリ送信の設定を途中で中断した場合の処理の流れを示すフローチャートである。
【図６】操作部の表示画面の一例を示す図である。
【図７】操作部の表示画面の一例を示す図である。
【図８】この発明の他の実施形態に係る表示装置を含む画像形成装置を複合機に適用した場合の複合機の構成を示すブロック図である。
【発明を実施するための形態】
【００１６】
以下、この発明の実施の形態を説明する。図１は、この発明の一実施形態に係る表示装置を含む画像形成装置を複合機に適用した場合の複合機の外観を示す概略図である。図２は、図１に示す複合機の構成を示すブロック図である。
【００１７】
図１および図２を参照して、複合機１１は、画像処理に関し、複写機能、プリンター機能、ファクシミリ機能等、複数の機能を有する。複合機１１は、制御部１２と、表示装置としての操作部１３と、画像読み取り部１４と、画像形成部１５と、給紙カセット１６と、ハードディスク１７と、ネットワークと接続するためのネットワークインターフェース部１８と、ファクシミリ通信部１９とを備える。
【００１８】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ２３を含む。操作部１３は、複合機１１側から発信される情報やユーザーの入力内容を表示するタッチパネル型式の液晶ディスプレイ（ＬＣＤ（Ｌｉｑｕｉｄ  Ｃｒｙｓｔａｌ  Ｄｉｓｐｌａｙ））である表示画面２１を含む。操作部１３は、押下により数値等の入力を受け付けるテンキー３１等も有し、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または載置台上にセットされた原稿の画像を読み取る。給紙カセット１６は、複数設けられており、それぞれ複数枚の用紙をその内部に収納することができる。画像形成部１５は、用紙にトナー像を定着させる定着ローラー２５を含む。定着ローラー２５は、トナー像の用紙への定着時には、所定の温度まで加熱される。画像形成部１５は、画像読み取り部１４により読み取られた原稿の画像データやネットワークを介して送信された画像データを基に、給紙カセット１６から搬送されてきた用紙に画像を形成する。記憶部としてのハードディスク１７は、いわゆる不揮発性であり、送信された画像データや入力された画像形成条件等、画像形成に関するデータを記憶する。ファクシミリ通信部１９は、公衆回線２６に接続されており、ファクシミリ送信やファクシミリ受信を行う。
【００１９】
次に、上記した操作部１３の構成について説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、スタンバイモードからスリープモードへの移行またはスリープモードからスタンバイモードへの移行のキーとなる節電キー３７と、上記した表示画面２１とを含む。なお、上記したテンキー３１等は、いわゆるハードキーである。表示画面２１は、ユーザーの指での押圧等により、表示画面２１からも画像形成条件等を入力させると共に、機能の選択等を行うことができる。なお、表示画面２１に別途スタートキーやメニューキー等を表示させることもできる。また、操作部１３は、バックライト２４を含む。バックライト２４の点灯により、表示画面２１上に表示されている情報をより容易に視認することができる。表示画面２１に情報を表示または非表示にするのに合わせて、バックライト２４も点灯または消灯される構成である。
【００２０】
複合機１１は、待機時に所定の電力を消費する第一のモード、および待機時に所定の電力よりも少ない電力を消費する第二のモードを有する。第一のモードは、いわゆるスタンバイモードと呼ばれるものであり、画像形成の要求があれば、即時に画像形成を行うことができるモードである。この第一のモードは、画像形成部１５における定着ローラー２５を定着可能な温度に常に維持しておく必要がある。また、表示画面２１を表示させて、表示画面２１における情報の入力等を即時に受け付ける状態としておく必要がある。すなわち、表示画面２１には、第一のモード時に情報を表示させる。その他の構成部材にも即時に画像形成が可能な状態にしておく必要があるため、比較的多い電力を消費するモードである。
【００２１】
一方、第二のモードは、いわゆるスリープモードと呼ばれるものであり、画像形成の要求があれば、即時には画像形成を行うことができず、ある程度の時間を経過した後にスタンバイモードに移行し、画像形成が可能となるモードである。ある程度の時間とは、主に、定着ローラー２５を定着可能な温度に加熱するために要する時間である。この第二のモードは、定着ローラー２５を比較的低い温度に維持しており、表示画面２１も非表示にしている状態であるため、第一のモードよりも少ない消費電力で済むモードである。制御部１２による制御により、第二のモード下における定着ローラー２５の温度は、第一のモード下における定着ローラー２５の温度よりも低く維持される。すなわち、定着ローラー２５に供給される電力は、第一のモード時よりも第二のモード時に方が少ない。
【００２２】
後述するモード移行制御部４３は、画像形成を行った後、ある程度の期間維持されるスタンバイモード時において、第一の条件として一定期間画像形成の要求がなされず、操作部１３における操作等の信号の入力がない場合や即時に節電モードである第二のモードへ移行させる節電キー３７の押下を検知した場合、消費電力の少ない第二のモードであるスリープモードへ移行させる。また、第二の条件として操作部１３によるユーザーの操作等、信号の入力を検知した場合や再度の節電キー３７の押下を検知した場合、スリープモードから第一のモードであるスタンバイモードへ移行する。スリープモードからスタンバイモードへの移行は、スリープモードからの復帰ともいう。
【００２３】
具体的なスリープモードからの復帰は、以下のような手順で行われる。表示画面２１へのユーザーの指等による接触を検知すると、この検知が操作部１３からの復帰信号として入力される。その後、画像形成部１５に含まれる定着ローラー２５の加熱や表示画面２１の表示を実行する復帰信号が出力される。なお、この表示画面２１へのユーザーの指等による接触を検知する操作部システムとも呼ばれる機構は、常に、すなわち、スリープモード下においても起動しているものである。
【００２４】
次に、制御部１２の構成について説明する。図４は、制御部１２の構成を示すブロック図である。図４を参照して、制御部１２は、入力受け付け部４１と、選別部４２と、モード移行制御部４３と、記憶制御部４４と、表示制御部４５とを備える。入力受け付け部４１は、情報の入力を受け付ける。選別部４２は、入力受け付け部４１により受け付けられた情報を第一の設定または第二の設定に選別する。第一の設定については、比較的セキュリティの度合いが低い情報の設定である。具体的には、たとえば、コピーの場合であれば、枚数や濃度の設定、ファクシミリ送信の場合であれば、ファクシミリの送信者の名前の設定である。一方、第二の設定については、比較的セキュリティの度合いの高い情報の設定である。具体的には、ファクシミリ送信の場合であれば、送信者の名前や宛先の設定である。モード移行制御部４３は、第一のモード中に第一の条件を満たせば第一のモードから第二のモードへ移行し、第二のモード中に第二の条件を満たせば第二のモードから第一のモードへ移行するよう制御する。記憶制御部４４は、モード移行制御部４３により第一のモードから第二のモードに移行する際に、第一の設定のデータをハードディスク１７に記憶するよう制御する。表示制御部４５は、モード移行制御部４３により第二のモードから第一のモードへ移行する際に、第一の設定についてはハードディスク１７に記憶された第一の設定の内容を表示し、第二の設定については初期設定の内容を表示するよう制御する。これらの構成については、後に詳述する。
【００２５】
次に、複合機１１において、ファクシミリ送信の設定を途中で中断した場合の処理の流れについて説明する。図５は、ファクシミリ送信の設定を途中で中断した場合の処理の流れを示すフローチャートである。
【００２６】
図５を参照して、ユーザーは、ファクシミリ送信を行う際に、ファクシミリ送信を行う原稿を携えて、複合機１１の設置されている場所に赴く。そして、ＡＤＦ２２にファクシミリ送信を行う原稿をセットし、操作部１３を介して、ファクシミリ送信の設定を行う。操作部１３は、設定の情報の入力を受け付ける（図５において、ステップＳ１１、以下、「ステップ」を省略する）。この場合、表示画面２１は、情報を表示すると共にバックライト２４が点灯した状態であり、いわゆるスタンバイモードである。ここで、操作部１３は、入力受け付け部４１として作動する。
【００２７】
図６は、操作部１３の表示画面２１の一例を示す図である。図６を参照して、表示画面２１には、「設定入力画面」との表記５１と、「設定を入力してください。」とのメッセージ５２と、ファクシミリ送信の宛先の記入欄であることを示す「宛先」の文字５３と、ファクシミリ送信の受信者の名前の記入欄であることを示す「受信者名」の文字５４と、ファクシミリ送信の送信者の名前の記入欄であることを示す「送信者名」の文字５５と、文字５３の横に設けられており、ファクシミリ送信の宛先を入力させる宛先入力部５６と、文字５４の横に設けられており、ファクシミリ送信の受信者の名前を入力させる受信者入力部５７と、文字５５の横に設けられており、ファクシミリ送信の送信者の名前を入力させる送信者入力部５８とが表示されている。
【００２８】
ここで、選別部４２により、入力受け付け部４１により受け付けられた情報を第一の設定または第二の設定に選別する。具体的には、選別部４２により、宛先入力部５６および受信者入力部５７の設定については、第二の設定に選別される。また、選別部４２により送信者入力部５８の設定については、第一の設定に選別される。この選別部４２による選別については、予め定められている。
【００２９】
ユーザーは、宛先入力部５６、受信者入力部５７、および送信者入力部５８への入力の設定を行う。具体的には、宛先入力部５６には「ＸＸＸ」との設定、受信者入力部５７には「ＹＹＹ」との設定、送信者入力部５８には、「ＺＺＺ」との設定が入力される。操作部１３は、設定の入力を受け付ける。
【００３０】
ここで、ここまで設定を入力した段階で、ユーザー宛に電話等がかかってきた場合等、複合機１１におけるファクシミリ送信を完了しないで、複合機１１から離れたとする。すなわち、ユーザーは、複合機１１において、ファクシミリ送信の設定を途中で中断する。そうすると、モード移行制御部４３は、第一の条件を満たしたか否かを判断する（Ｓ１２）。具体的には、操作部１３において何も操作されないまま所定の時間が経過したか否かが判断される。
【００３１】
ユーザーの電話が長引いた場合等、操作部１３において何も操作されないまま所定の時間が経過したと判断すると（Ｓ１２において、ＹＥＳ）、第一の条件を満たしたと判断して、第一のモードから第二のモードへ移行する（Ｓ１３）。すなわち、スタンバイモードからスリープモードへ移行する。具体的には、表示画面２１を非表示にしてバックライト２４を消灯する。そうすると、表示画面２１に表示されている内容は視認できなくなる。
【００３２】
ここで、記憶制御部４４は、モード移行制御部４３により第一のモードから第二のモードに移行する際に、第一の設定の内容のデータおよび第二の設定の内容のデータをハードディスク１７に記憶するよう制御する（Ｓ１４）。すなわち、ハードディスク１７には、第一の設定の内容である送信者入力部５８の設定「ＺＺＺ」の情報、第二の設定の内容である宛先入力部５６の設定「ＸＸＸ」の情報および受信者入力部５７の設定「ＹＹＹ」の情報が記憶される。
【００３３】
その後、電話が終わり、ユーザーはファクシミリ送信の続きを行おうと複合機１１の設置してある場所に戻ってくる。そして、操作部１３の表示画面２１をタッチする。そうすると、モード移行制御部４３は、表示画面２１への接触を検知し、第二の条件を満たしたと判断する（Ｓ１５において、ＹＥＳ）。そして、第二のモードから第一のモードへ移行する（Ｓ１６）。すなわち、スリープモードからスタンバイモードへ移行する。
【００３４】
ここで、表示制御部４５は、モード移行制御部４３により第二のモードから第一のモードへ移行する際に、第一の設定についてはハードディスク１７に記憶された第一の設定の内容を表示し、第二の設定については初期設定の内容を表示するよう制御する（Ｓ１７）。ここで、初期設定とは、何も設定しない状態をいう。
【００３５】
図７は、この場合の操作部１３の表示画面２１の一例を示す図である。図７を参照して、表示画面２１には、図６と同様に、文字５３、５４、５５、宛先入力部５６、受信者入力部５７、および送信者入力部５８が表示されている。ここで、宛先入力部５６、および受信者入力部５７については、図６に示す最初の設定時において、それぞれ「ＸＸＸ」および「ＹＹＹ」が入力されていたが、これら宛先入力部５６および受信者入力部５７の欄が空欄となっている。この空欄は、初期設定の内容である。
【００３６】
そして、ファクシミリを送信しようとしたユーザーは、宛先入力部５６および受信者入力部５７への入力を改めて行う。一方、送信者入力部５８については、「ＺＺＺ」の入力が反映されているため、この送信者入力部５８については、改めて入力する必要はない。その後、スタートキー３２を押下して原稿の画像を画像読み取り部１４に読み取らせてファクシミリ送信を行う。
【００３７】
このような構成の複合機１１によれば、セキュリティの度合いの低い送信者入力部５８については、スリープモードへ移行する前に設定した内容がそのまま反映されているため、改めて入力する必要はない。一方、スリープモードへ復帰させたのが、宛先入力部５６に「ＸＸＸ」、受信者入力部５７に「ＹＹＹ」を入力して、ファクシミリ送信を行おうとしたユーザーではなく他のユーザーであった場合、宛先入力部５６および受信者入力部５７の欄がそれぞれ空欄であるため、他のユーザーにこれらの情報が知られるおそれはない。したがって、このような複合機１１は、セキュリティを確保しながら利便性を高くすることができる。
【００３８】
この場合、予め定められた第一の設定、および第二の設定に選別されているため、予め定められた設定において、より確実にセキュリティを確保しながら利便性を高くすることができる。
【００３９】
なお、上記の実施の形態において、選別部４２は、ユーザーの要求に応じて第一の設定または第二の設定に選別するようにしてもよい。すなわち、たとえば、操作部１３を介したユーザーの要求に応じて、上記した場合において、宛先入力部５６への入力の設定を第一の設定とする選別するようにする。こうすることにより、ユーザーのニーズに応じた設定とすることができる。
【００４０】
また、上記の実施の形態において、選別部４２は、入力受け付け部４１により受け付けられた情報に所定の文字列が含まれていれば、情報を前記第二の設定に選別するよう構成してもよい。こうすることにより、より高いセキュリティを確保することができる。具体的には、たとえば、電子的な住所等を示す際に多用されるアットマーク「＠」の文字や、電子上のアドレスを示す「．ｃｏｍ」等の文字列が相当する。
【００４１】
また、上記の実施の形態において、第二の設定は、ユーザーを認証するパスワードの設定、およびユーザーの個人情報の設定のうちの少なくともいずれか一つを含むようにしてもよい。このような設定は、一般的には比較的セキュリティのレベルの高いものが多いため、このように構成することにより、より高いセキュリティを確保することができる。
【００４２】
なお、上記の実施の形態において、操作部１３を含む複合機１１は、時間を計測する時間計測部をさらに備える構成とする。そして、表示制御部４５は、モード移行制御部４３により第一のモードから前記第二のモードへ移行してから時間計測部により計測された時間が所定の時間を越えれば、モード移行制御部４３により第二のモードから第一のモードへ移行する際に、第一の設定および第二の設定について初期設定の内容を表示するよう制御する。さらに複合機１１は、操作部１３を含む複合機１１の近辺を撮影する撮影部をさらに備える構成とする。表示制御部４５は、モード移行制御部４３により第二のモードから第一のモードへ移行する際に、撮影部により撮影された複合機１１の近辺に位置する人物が第一のモード時へ移行する前後において同一人物であるか否かを判断して、同一人物であると判断されれば、モード移行制御部４３により第二のモードから第一のモードへ移行する際に、第一の設定および第二の設定についてハードディスク１７に記憶された第一の設定の内容および第二の設定の内容をそれぞれ表示するよう制御する。このように構成してもよい。
【００４３】
図８は、この発明の他の実施形態に係る表示装置を含む画像形成装置を複合機に適用した場合の複合機の構成を示すブロック図である。図８は、図２に対応し、同一の構成については、同じ符号を付してそれらの説明を省略する。図８を参照して、複合機２７は、時間計測部２８と、撮影部２９とを備える。時間計測部２８は、時間を計測する。表示制御部４５は、モード移行制御部４３により第一のモードから前記第二のモードへ移行してから時間計測部により計測された時間が所定の時間を越えれば、モード移行制御部４３により第二のモードから第一のモードへ移行する際に、第一の設定および第二の設定について初期設定の内容を表示するよう制御する。
【００４４】
このように構成することにより、ファクシミリを送信しようとしたユーザーが複合機１１に戻ってこなくても、全ての設定について初期設定とすることにして、不十分な入力の設定を解消することができる。このような所定の時間は、いわゆるオートクリアータイムと呼ばれるものである。
【００４５】
また、撮影部２９は、操作部１３を含む複合機１１の近辺を撮影する。表示制御部４５は、モード移行制御部４３により第二のモードから第一のモードへ移行する際に、撮影部により撮影された複合機１１の近辺に位置する人物が第一のモード時へ移行する前後において同一人物であるか否かを判断して、同一人物であると判断されれば、モード移行制御部４３により第二のモードから第一のモードへ移行する際に、第一の設定および第二の設定についてハードディスク１７に記憶された第一の設定の内容および第二の設定の内容をそれぞれ表示するよう制御する。
【００４６】
このように構成することにより、第二のモードへ移行する前後のユーザーが同一人物であると判断される場合には、セキュリティの問題はないため、全ての設定を表示して反映させる構成として、ユーザーの利便性の向上を図ることができる。この場合、表示制御部４５は、顔認識機能や、これに加え、着ている服の一致等により同一人物か否かを判断する。
【００４７】
なお、上記の実施の形態においては、制御部１２等は、複合機１１に備えられることとしたが、これに限らず、表示装置としての操作部１３に備えられることとしてもよい。すなわち、この発明に係る表示装置は、所定の電力を消費する第一のモード、および前記所定の電力よりも少ない電力を消費する第二のモードを有し、情報を表示する表示装置である。表示装置は、入力受け付け部と、選別部と、表示画面と、記憶部と、モード移行制御部と、記憶制御部と、表示制御部とを備える。入力受け付け部は、情報の入力を受け付ける。選別部は、入力受け付け部により受け付けられた情報を第一の設定または第二の設定に選別する。表示画面は。入力受け付け部により受け付けられた情報を表示可能である。記憶部は、データを記憶する。モード移行制御部は、第一のモード中に第一の条件を満たせば表示画面を非表示にして第一のモードから第二のモードへ移行し、第二のモード中に第二の条件を満たせば表示画面を表示して第二のモードから第一のモードへ移行するよう制御する。記憶制御部は、モード移行制御部により第一のモードから第二のモードに移行する際に、第一の設定および第二の設定のデータを記憶部に記憶するよう制御する。表示制御部は、モード移行制御部により第二のモードから第一のモードへ移行する際に、表示画面に表示される情報として第一の設定については記憶部に記憶された第一の設定の内容を表示し、第二の設定については初期設定の内容を表示するよう制御する。このような構成としてもよい。こうすることにより、セキュリティを確保しながら利便性を高くすることができる。
【００４８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４９】
この発明に係る表示装置、および画像形成装置は、セキュリティの確保および高い利便性が要求される場合に、特に有効に利用される。
【符号の説明】
【００５０】
１１，２７  複合機、１２  制御部、１３  操作部、１４  画像読み取り部、１５  画像形成部、１６  給紙カセット、１７  ハードディスク、１８  ネットワークインターフェース部、１９  ファクシミリ送信部、２１  表示画面、２２  ＡＤＦ、２３  主記憶メモリ、２４  バックライト、２５  定着ローラー、２６  公衆回線、２８  時間計測部、２９  撮影部、３１  テンキー、３２  スタートキー、３３  電源キー、３４  メニューキー、３５  登録キー、３６  リセットキー、３７  節電キー、４１  入力受け付け部、４２  選別部、４３  モード移行制御部、４４  記憶制御部、４５  表示制御部、５１  表記、５２  メッセージ、５３，５４，５５  文字、５６  宛先入力部、５７  受信者入力部、５８  送信者入力部。
【図１】
2018138332.tif 000003
【図２】
2018138332.tif 000004
【図３】
2018138332.tif 000005
【図４】
2018138332.tif 000006
【図５】
2018138332.tif 000007
【図６】
2018138332.tif 000008
【図７】
2018138332.tif 000009
【図８】
2018138332.tif 000010